【手続補正書】
【提出日】平成17年10月4日(2005.10.4)
【手続補正１】
【補正対象書類名】特許請求の範囲
【補正対象項目名】請求項１２
【補正方法】変更
【補正の内容】
【請求項１２】
前記閉鎖部材（70）はシャッター（69）を有し、前記ファン（11）が前記一方向に回転することによって、前記シャッター（69）が空気の前記第2の流路（29b；60b；83b）を閉じさせ、前記ファン（11）が前記他方向に回転することによって、前記シャッターが空気の前記第1の流路（29a；60a；83a）を閉じさせることを特徴とする、請求項5に依存している場合の請求項6または請求項7に記載のフレグランス拡散装置。
【手続補正２】
【補正対象書類名】特許請求の範囲
【補正対象項目名】請求項３４
【補正方法】変更
【補正の内容】
【請求項３４】
2つの前記フレグランス供給源が、請求項38から請求項46のいずれか一つの請求項に記載の一対の容器（82a、82b；88a、88b）により提供されることを特徴とする、請求項2または請求項2に従属する任意の請求項に記載のフレグランス拡散装置。
【手続補正３】
【補正対象書類名】特許請求の範囲
【補正対象項目名】請求項３９
【補正方法】変更
【補正の内容】
【請求項３９】
前記リザーバから前記放出路（83a、83b）に前記液体フレグランスを運ぶために、芯（87a、87b）が前記放出路の中に配置されることを特徴とする、請求項38に記載のフレグランス容器。
【手続補正４】
【補正対象書類名】特許請求の範囲
【補正対象項目名】請求項４９
【補正方法】変更
【補正の内容】
【請求項４９】
前記カバー（34）は、前記前面シート（40）を超えて延在する前記背面シート（31）の一部で形成され、前記背面シート（31）の上に折り畳まれることを特徴とする、請求項48に記載のフレグランス供給源。
【手続補正５】
【補正対象書類名】明細書
【補正対象項目名】００５７
【補正方法】変更
【補正の内容】
【００５７】
使用時においては、ファン11が時計方向に回転すると空気流が発生し、強制的に第1のダクト60aを通過して、対応するフレグランス供給源81aの放出路83aの入口84aに入る。次に空気は芯87aの周囲を通過してフレグランスを放出させ、出口85aを通り、カバー15の開口部86aを通って周囲の大気へと出る。図12で見たようにファン11が反時計回りに回転すると、放出路83bの入口84bを通過する空気流が発生し、その空気流は対応する芯87bを通過し、出口85bを通り、カバーの開口部86bを通って出る。
【手続補正６】
【補正対象書類名】明細書
【補正対象項目名】００６６
【補正方法】変更
【補正の内容】
【００６６】
最初に図35を参照すると、図32から図34を参照して上記に説明したタイプの2つの容器88a、88bが提供される。第1の容器88aには表面に模様95が施してあり、該模様95は、第2の容器88bの対応する模様96と連続する模様を形成し、模様は、容器88a、88bの隣接した側面97aと側面97bとの間の接合部を超えて連続する。これら容器88a、88bは相補的なフレグランス（すなわち嗅覚において相補的なフレグランス）を収容するように構成され、非相補的なフレグランスを収容した容器はどれも、図35のどちらの容器の模様とも適合しない異なる模様を有する。よって、非相補的なフレグランスを収容した容器を図35に示した容器の一つとともに使用する場合には、模様の不適合が明白になる。この効果は、浮き彫り模様による必要はないことが理解されうる。インセット模様（Ｉｎｓｅｔ  ｐａｔｔｅｒｎ）または単純な印刷効果を利用できる。
【手続補正７】
【補正対象書類名】明細書
【補正対象項目名】００７５
【補正方法】変更
【補正の内容】
【００７５】
【図１】第1形態のフレグランス拡散装置の概略正面図であって、拡散装置の前面カバーを取り除かれ、フレグランス拡散装置のファンとフレグランス供給源を見せ、ファンが第1の方向に回転している、第1形態のフレグランス拡散装置の概略正面図である。
【図２】ファンが逆方向に回転している、図1と同様の図である。
【図３】図1と図2に示したフレグランス拡散装置の側方断面図である。
【図４】図3の線A-Aに沿って切断した断面図である。
【図５】図1から図4に示したフレグランス供給源の斜視図である。
【図６】図5に示したフレグランス供給源の分解図である。
【図７】図1から図4に示したフレグランス拡散装置の動作状態に対する時間を示したグラフである。
【図８】図1と図2に示したフレグランス拡散装置で使用する第2形態のフレグランス供給源の斜視図であって、見やすくするため、2つの供給源の芯をフレグランス供給源から離して示す、第2形態のフレグランス供給源の斜視図である。
【図９】図8に示した第2形態のフレグランス供給源の分解図である。
【図１０】第2形態のフレグランス拡散装置と2つのフレグランス供給源との正面図である。
【図１１】図10に示した第2形態のフレグランス拡散装置の正面図であって、前面カバーが取り除かれ、ファンが1つの方向に回転している、第2形態のフレグランス拡散装置の正面図である。
【図１２】ファンが逆方向に回転している、図11と同様の図である。
【図１３】第2形態のフレグランス拡散装置を上方から見た内面図である。
【図１４】図12の線B-Bに沿って切断した断面図である。
【図１５】第2のフレグランス拡散装置が、異なる動作モードを可能にするボタンを備える、図10と同様の図である。
【図１６】第2のフレグランス拡散装置が、拡散されるフレグランスの量を制御するシャッターを有する、図10と同様の図である。
【図１７】図16と同様の図であるが、一方のシャッターは全開状態であり、他方のシャッターは一部閉じた状態である点が異なっている図である。
【図１８】第2のフレグランス拡散装置が、拡散されるフレグランスの量を制御する芯カバー組立体を有する、図11と同様の図である。
【図１９】図18と同様の図であるが、一方の芯カバーは芯を最小限に覆っており、他方の芯カバーは芯を最大限に覆っている状態を示す図である。
【図２０】フレグランス供給源がペグを有し、フレグランス拡散装置が、ペグによって操作されるマイクロスイッチを有する、図14と同様の図である。
【図２１】図9から図13に示したフレグランス供給源の側面図であって、ペグは含まれているが、フレグランスと芯とが除去されている、フレグランス供給源の側面図である。
【図２２】第2形態のフレグランス拡散装置のファンをシャッターとともに示した概略図である。
【図２３】摩擦クラッチによって相互に連結される部分を示す、図22のファンとシャッターの概略断面図である。
【図２４】遠心クラッチによって相互に連結される部分を示す、図22のファンとシャッターの概略断面図。
【図２５】図24に示した遠心クラッチの第1クラッチ部分の平面図である。
【図２６】図24に示した遠心クラッチの第2クラッチ部分の平面図である。
【図２７】第3形態のフレグランス拡散装置と2つのフレグランス供給源との正面図である。
【図２８】第3形態のフレグランス拡散装置の正面図であって、前面カバーが取り除かれ、ファンが1つの方向に回転している、第3形態のフレグランス拡散装置の正面図である。
【図２９】ファンが逆方向に回転している、図28と同様の図である。
【図３０】図28と図29に示したフレグランス拡散装置の側方断面図である。
【図３１】図29の線C-Cに沿って切断した断面図である。
【図３２】第3形態のフレグランス拡散装置で使用するフレグランス供給源の側面図であって、フレグランス供給源のキャップが取り外されている、フレグランス供給源の側面図である。
【図３３】フレグランス供給源に通じる放出路の内部構造を示す、図32と同様の図である。
【図３４】フレグランス供給源に通じる放出路を通過する空気流を示す、図32と同様の図である。
【図３５】キャップと放出路を省略して示された第2のフレグランス供給源と隣接する、図32から図34に示したタイプのフレグランス供給源の側面図である。
【図３６】キャップと放出路を省略して示された第2のフレグランス供給源と隣接する、図32から図34に示したタイプのフレグランス供給源の変形形態の側面図である。
【図３７】ファンと単一のフレグランス供給源とを有する、第4形態のフレグランス拡散装置の概略側面図である。
【図３８】フレグランス供給源が2つのフレグランスを備えている、図37と同様の図である。
【図３９】熱によって拡散される2つのフレグランス供給源と制御システムとを有する、第5形態のフレグランス拡散装置の概略図である。
【図４０】フレグランスを熱によって拡散させる別の方法が示す、図39と同様の図である。
【図４１】図1から図4、図10から図19、図27から図31のいずれかに示したタイプのフレグランス拡散装置であって、鉛直面に取り付けた状態のフレグランス拡散装置の概略図である。